(57)【要約】【課題】光学全長をそのままに、変倍比が５から７倍、広角端画角が７５度程度の高い仕様でかつ結像性能が好ましい結像光学系を提供すること。【解決手段】物体側から順に、正第１レンズ群Ｇ１と、負第２レンズ群Ｇ２と、正第３レンズ群Ｇ３と、第４レンズ群Ｇ４とを有し、最大でも５つのレンズ群からなり、第１レンズ群Ｇ１は、広角端から望遠端まで変倍する際に全系焦点距離が１．２ｆw 以上かつ１．８ｆw 以下のいずれかのときに第１レンズ群Ｇ１が広角端のときよりも物体側に位置するように移動する結像光学系において、  横軸をνd(LA)、及び縦軸をｎd(LA)とする直交座標系において、  ｎd(LA) ＝ａ×νd(LA)＋ｂ(LA)（但し、ａ＝−０．０２６７）で表される直線を設定したときに、所定の条件式を満足する。【選択図】図１
2011247949.tif 000002
【特許請求の範囲】
【請求項１】
物体側から順に、
屈折力が正であり１つの接合レンズ成分のみからなる第１レンズ群Ｇ１と、
屈折力が負であり負レンズ成分およびメニスカス形状の正レンズＬAと負レンズＬBの順の接合からなるレンズ成分との２つのレンズ成分からなる第２レンズ群Ｇ２と、
屈折力が正であり正レンズ成分と負レンズ成分の２つのレンズ成分からなる第３レンズ群Ｇ３と、
１つのレンズ成分からなる第４レンズ群Ｇ４と、を有し、
最大でも５つのレンズ群からなり、
前記第１レンズ群Ｇ１は、広角端から望遠端まで変倍する際に全系焦点距離が１．２ｆw 以上かつ１．８ｆw 以下のいずれかのときに第１レンズ群Ｇ１が広角端のときよりも物体側に位置するように移動する結像光学系において、
横軸をνd(LA)、及び縦軸をｎd(LA)とする直交座標系において、
ｎd(LA) ＝ａ×νd(LA)＋ｂ(LA)（但し、ａ＝−０．０２６７）
で表される直線を設定したときに、以下の条件式（１）の範囲の下限値であるときの直線、及び上限値であるときの直線で定まる領域と、以下の条件式（２）で定まる領域との２つの領域に、前記正レンズＬAのｎd及びνdが含まれることを特徴とする結像光学系。
２．０＜ｂ(LA)＜２．４    （但し、ｎd(LA)＞１．３）      …（１）
νd(LA)＜３０      …（２）
ここで、
νd(LA)は正レンズＬAのアッベ数（ｎd(LA)−１）／（ｎF(LA)−ｎC(LA)）、
ｎd(LA)、ｎC(LA)、ｎF(LA)は、それぞれ前記正レンズＬAの各々ｄ線、Ｃ線、Ｆ線の屈折率を表す。
【請求項２】
縦軸をθgF(LA)とする直交座標系において、
θgF(LA)＝αgF×νd(LA)＋βgF(LA)  （但し、αgF＝−０．００５６６）
で表される直線を設定したときに、以下の条件式（３）の範囲の下限値であるときの直線、及び上限値であるときの直線で定まる領域と、前記条件式（１）と（２）で定まる領域との３つの領域に、前記正レンズＬAのθgF及びｎd及びνdが含まれることを特徴とする結像光学系。
０．７７００＜βgF(LA)＜０．８３００      …（３）
ここで、
θgF(LA)は正レンズＬAの部分分散比（ｎg−ｎF）／（ｎF−ｎC）、
ｎg(LA)は前記正レンズＬAのｇ線の屈折率、
をそれぞれ表す。
【請求項３】
前記正レンズＬAの形状ファクターが以下の条件式（４）を満足することを特徴とする請求項１又は２に記載の結像光学系。
１．１＜（ｒa＋ｒb）／（ｒa−ｒb）＜６．０      ・・・（４）
ここで、
ｒaは、前記正レンズＬAの物体側の面の光軸上における曲率半径、
ｒbは、前記正レンズＬAの像側の面（接合面）の光軸上における曲率半径、
である。
【請求項４】
前記第２レンズ群Ｇ２の像側のレンズ成分は両空気接触面がそれぞれの光軸上の曲率半径の球面に対してともに物体側へ偏倚する非球面形状であり、
光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（５）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋      …（５）
偏倚量を下記の式（６）で表した場合、
Δz＝ｚ−h2／R［１＋｛１−h2／R2 ｝1/2 ］      …（６）
以下の条件式（７）を満足することを特徴とする請求項１〜３のいずれか一項に記載の結像光学系。
ΔｚA（h）≦０、  ΔｚB（h）≦０    〈但し、ｈ＝0.9a〉、かつ、
-3.0e-4≦｛P(LA)−P(LB)｝／ｙ10≦+２.0e-3  〈但し、ｈ＝0.9a〉  ・・・（７）
ここで、
ｚAは前記正レンズＬAの空気接触面の形状であって、式（５）に従う形状、
ｚBは前記負レンズＬBの空気接触面の形状であって、式（５）に従う形状、
ｚCは前記接合面の形状であって、式（５）に従う形状、
ΔｚAは前記正レンズＬAの空気接触面の光軸における曲率半径の球面に対する偏倚量であって、式（６）に従う量、
ΔｚBは前記負レンズＬBの空気接触面の光軸における曲率半径の球面に対する偏倚量であって、式（６）に従う量、
ΔｚCは前記接合面の光軸における曲率半径の球面に対する偏倚量であって、式（６）に従う量、
νd(LA)は前記正レンズＬAのｄ線に対するアッベ数（ｎdA−1)／（ｎFA−ｎCA）、
νd(LB)は前記負レンズＬBのｄ線に対するアッベ数（ｎdB−1)／（ｎFB−ｎCB）、
ｎdA、ｎCA、ｎFAは、各々前記正レンズＬAのｄ線、Ｃ線、Ｆ線に対する屈折率、
ｎdB、ｎCB、ｎFBは、各々前記負レンズＬBのｄ線、Ｃ線、Ｆ線に対する屈折率、
を表す。
P(LA)は前記正レンズＬAの非球面と分散に関するパラメータであって、以下の式で表され、
P(LA)＝（ΔｚC（h）−ΔｚA（h））／νd(LA)
P(LB)は負レンズＬBの非球面と分散に関するパラメータであって、以下の式で表され、
P(LB)  ＝（ΔｚC（h）−ΔｚB（h））／νd(LB)
aは以下の条件式（８）式に従う量、
a＝(ｙ10)2・log10γ／ｆw      ・・・（８）
両空気接触面は球面であってもよく、
ｙ10は本発明の結像光学系の結像位置近傍に配置された電子撮像素子の有効撮像面内（撮像可能な面内）において、中心から最も遠い点までの距離（最大像高）、
ｆwは前記結像光学系の広角端における全系の焦点距離、
γはズーム比（望遠端での全系焦点距離／広角端での全系焦点距離）、
また、各面の面頂を原点とするため、常にｚ（０）＝０である。
【請求項５】
以下の条件式（９）を満足することを特徴とする請求項１〜４のいずれか一項に記載の結像光学系。
｜ΔｎAB｜＜０．１８      ・・・（９）
ここで、
ΔｎABは、前記正レンズＬAと前記負レンズＬBのそれぞれの媒質のｄ線に対する屈折率差である。
【請求項６】
前記第２レンズ群Ｇ２の最も物体側の負レンズ成分Ｌ２１を構成する負レンズの媒質のｄ線の屈折率ｎ２１が以下の条件を満足することを特徴とする請求項１〜５のいずれか一項に記載の結像光学系。
ｎ２１＞１．８５      ・・・（１０）
【請求項７】
広角端における光学全長が望遠端の０．７５倍以下となることを特徴とする請求項１〜６のいずれか一項に記載の結像光学系。
【請求項８】
広角端から望遠端に変倍する際の第１レンズ群Ｇ１の移動量に対する第２レンズ群Ｇ２移動量の比の絶対値が０．４以下であることを特徴とする請求項１〜７のいずれか一項に記載の結像光学系。
【請求項９】
第１レンズ群Ｇ１の合成焦点距離に対する第２レンズ群Ｇ２の合成焦点距離の比の絶対値が０．２５以下であることを特徴とする請求項１〜８のいずれか一項に記載の結像光学系（ただし、物点が無限遠の場合）。
【請求項１０】
変倍時には全系の焦点距離ｆが１．２ｆw以上かつ１．８ｆw以下のいずれかのときに、第２レンズ群Ｇ２が広角端のときよりも像側に位置するように移動することを特徴とする請求項１〜９のいずれか一項に記載の結像光学系。
【請求項１１】
広角端から望遠端に向けて変倍する際に、前記第３レンズ群Ｇ３は物体側のみに移動することを特徴とする請求項１〜１０のいずれか一項に記載の結像光学系。
【請求項１２】
無限遠の被写体に合焦した場合、前記第４レンズ群Ｇ４は、望遠端における位置は、広角端における位置よりも像側に寄っていることを特徴とする請求項１〜１１のいずれか一項に記載の結像光学系。
【請求項１３】
請求項１〜１２のいずれか一項に記載の結像光学系と、
電子撮像素子と、
前記結像光学系を通じて結像した像を前記電子撮像素子で撮像することによって得られた画像データを加工して像の形状を変化させた画像データとして出力する画像処理手段とを有し、前記結像光学系が、無限遠物点合焦時に次の条件式（Ａ）を満足することを特徴とする電子撮像装置。
０．８５＜ｙ07／（ｆｗ・ｔａｎω07w）＜０．９７      …（Ａ）
ここで、
ｙ07は前記電子撮像素子の有効撮像面内（撮像可能な面内）で中心から最も遠い点までの距離（最大像高）をｙ10としたときｙ07＝０．７・ｙ10、
ω07wは広角端における前記撮像面上の中心からｙ07の位置に結ぶ像点に対応する物点方向の光軸に対する角度、
ｆｗは広角端における前記結像光学系の全系の焦点距離、
である。
【発明の詳細な説明】
【技術分野】
【０００１】
本発明は、結像光学系及びそれを有する電子撮像装置に関するものである。
【背景技術】
【０００２】
デジタルカメラは高画素数化（高画質化）や小型薄型化において実用レベルを達成し、機能的にも市場的にも銀塩３５ｍｍフィルムカメラにとって代わってしまった。そこで、次なる進化の方向の１つとして、そのままの小ささ薄さでズームレンズの高変倍比化、広角化など光学仕様の向上とともにさらなる高画素数化が強く求められている。
【０００３】
デジタルカメラの薄さをそのままに変倍比や画角などの仕様を上げるには、ズームレンズの光学全長をそのままにこれらの仕様を上げていく必要がある。デジタルカメラ本体の薄型化に適した全長の短い従来のズームレンズとしては、たとえば特開２００３−１４００４３号公報に記載されたものがある。
【先行技術文献】
【特許文献】
【０００４】
【特許文献１】特開２００３−１４００４３号公報
【発明の概要】
【発明が解決しようとする課題】
【０００５】
特開２００３−１４００４３号公報に記載されたズームレンズは変倍比が約３倍、広角端画角が６６度程度、最大全長がイメージサークル直径に対して６．５倍程度である。しかし、この種のズームレンズの光学全長をそのままにこれらの仕様を上げていくと色収差をはじめとする諸収差の悪化は免れない。
【０００６】
本発明は上記従来の課題に鑑み、光学全長をそのままに、変倍比が５から７倍、広角端画角が７５度程度の高い仕様でかつ結像性能が好ましい結像光学系と、それを用いた極めて薄い電子撮像装置を得ることを目的としている。
【課題を解決するための手段】
【０００７】
上述した課題を解決し、目的を達成するために、本発明の結像光学系は、
物体側から順に、
屈折力が正であり１つの接合レンズ成分のみからなる第１レンズ群Ｇ１と、
屈折力が負であり負レンズ成分およびメニスカス形状の正レンズＬAと負レンズＬBの順の接合からなるレンズ成分との２つのレンズ成分からなる第２レンズ群Ｇ２と、
屈折力が正であり正レンズ成分と負レンズ成分の２つのレンズ成分からなる第３レンズ群Ｇ３と、
１つのレンズ成分からなる第４レンズ群Ｇ４と、を有し、
最大でも５つのレンズ群からなり、
前記第１レンズ群Ｇ１は、広角端から望遠端まで変倍する際に全系焦点距離が１．２ｆw 以上かつ１．８ｆw 以下のいずれかのときに第１レンズ群Ｇ１が広角端のときよりも物体側に位置するように移動する結像光学系において、
横軸をνd(LA)、及び縦軸をｎd(LA)とする直交座標系において、
ｎd(LA) ＝ａ×νd(LA)＋ｂ(LA)（但し、ａ＝−０．０２６７）
で表される直線を設定したときに、以下の条件式（１）の範囲の下限値であるときの直線、及び上限値であるときの直線で定まる領域と、以下の条件式（２）で定まる領域との２つの領域に、前記正レンズＬAのｎd及びνdが含まれることを特徴とする。
２．０＜ｂ(LA)＜２．４    （但し、ｎd(LA)＞１．３）      …（１）
νd(LA)＜３０      …（２）
ここで、
νd(LA)は正レンズＬAのアッベ数（ｎd(LA)−１）／（ｎF(LA)−ｎC(LA)）、
ｎd(LA)、ｎC(LA)、ｎF(LA)は、それぞれ正レンズＬAの各々ｄ線、Ｃ線、Ｆ線の屈折率
を表す。
【０００８】
また、本発明の電子撮像装置は、上述した結像光学系と、
電子撮像素子と、
前記結像光学系を通じて結像した像を前記電子撮像素子で撮像することによって得られた画像データを加工して像の形状を変化させた画像データとして出力する画像処理手段とを有し、前記結像光学系が、無限遠物点合焦時に次の条件式（Ａ）を満足することを特徴とする。
０．８５＜ｙ07／（ｆｗ・ｔａｎω07w）＜０．９７      …（Ａ）
ここで、
ｙ07は前記電子撮像素子の有効撮像面内（撮像可能な面内）で中心から最も遠い点までの距離（最大像高）をｙ10としたときｙ07＝０．７・ｙ10、
ω07wは広角端における前記撮像面上の中心からｙ07の位置に結ぶ像点に対応する物点方向の光軸に対する角度、
ｆｗは広角端における前記結像光学系の全系の焦点距離である。
【発明の効果】
【０００９】
本発明は、結像光学系の高変倍率化、薄型化、高性能化を実現できる有効なレンズ構成とその電子撮像装置の薄型化への応用に関するものである。
【図面の簡単な説明】
【００１０】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるズームレンズの（ａ）は広角端、（ｂ）は中間、（ｃ）は望遠端における無限遠物点合焦時の光学構成を示す光軸に沿う断面図である。
【図１６】実施例８にかかるズームレンズの無限遠物点合焦時における球面収差、非点収差、歪曲収差、倍率色収差を示す図であり、（a）は広角端、（b）は中間、（c）は望遠端での状態を示している。
【図１７】本発明によるズーム光学系を組み込んだデジタルカメラ４０の外観を示す前方斜視図である。
【図１８】デジタルカメラ４０の後方斜視図である。
【図１９】デジタルカメラ４０の光学構成を示す断面図である。
【図２０】本発明のズーム光学系が対物光学系として内蔵された情報処理装置の一例であるパソコン３００のカバーを開いた状態の前方斜視図である。
【図２１】パソコン３００の撮影光学系３０３の断面図である。
【図２２】パソコン３００の側面図である。
【図２３】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１１】
以下に、本発明にかかる結像光学系をズーム光学系に適用した実施例を図面に基づいて詳細に説明する。なお、この実施例によりこの発明が限定されるものではない。なお、実施例の説明に先立ち、本実施形態の結像光学系の作用効果について説明する。
【００１２】
本実施形態の高変倍率ズーム光学系は、先行技術の全長をほぼそのままに変倍比と画角を高めるために、物体側から順に、屈折力が正であり１つの接合レンズ成分のみからなる第１レンズ群Ｇ１と、屈折力が負であり負レンズ成分およびメニスカス形状の正レンズＬAと負レンズＬBの順の接合からなるレンズ成分との２つのレンズ成分からなる第２レンズ群Ｇ２と、屈折力が正であり正レンズ成分と負レンズ成分の２つのレンズ成分からなる第３レンズ群Ｇ３と、１つのレンズ成分からなる第４レンズ群Ｇ４とを有し、最大でも５つのレンズ群からなり、前記第１レンズ群Ｇ１は広角端から望遠端まで変倍する際に全系焦点距離が１.２fw 以上かつ１.8fw 以下のいずれかのときに第１レンズ群Ｇ１が広角端のときよりも物体側に位置するように移動するタイプのものを採用している。
【００１３】
このように、第１レンズ群Ｇ１は正の屈折力、第２レンズ群Ｇ２は負の屈折力、第３レンズ群Ｇ３は正の屈折力であり、全体として４つ乃至５つのレンズ群にて構成する。これにより、近軸配置的に見て全長短縮および高変倍率化に有利である。同時に、収納時の薄型化のためにレンズ成分を極限まで減らしてもかなり高いレベルの結像性能を確保しやすい。かつ、第１レンズ群Ｇ１を上記のような移動軌跡とすれば、画角７０度余の広角化にも対応できる。
【００１４】
また、全長を短縮した設計のときの広角端から少しだけ長い焦点距離にて発生しやすいコマ収差やメリジオナル像面湾曲の補正および第１レンズ群の径の小型化も行ないやすい。
【００１５】
しかしながら、さらに全長を短くしたり変倍比や画角などの仕様を向上しようとすると、変倍をつかさどる第２レンズ群Ｇ２の屈折力を高めなくてはならない。一方、第２レンズ群Ｇ２の屈折力を高めようとすると、色収差が大きくなること、ペッツバール和が負側に大きくなることが生じやすい。
【００１６】
そこで、本発明においては、横軸をνd(LA)、及び縦軸をｎd(LA)とする直交座標系において、
ｎd(LA) ＝ａ×νd(LA)＋ｂ(LA)（但し、ａ＝−０．０２６７）
で表される直線を設定したときに、以下の条件式（１）の範囲の下限値であるときの直線、及び上限値であるときの直線で定まる領域と、以下の条件式（２）で定まる領域との２つの領域に、前記正レンズＬAのｎd(LA)及びνd(LA)が含まれることを特徴としている。
２．０＜ｂ(LA)＜２．４    （但し、ｎd(LA)  ＞  １．３）  …（１）
νd(LA)＜３０                  …（２）  
ここで、
νd(LA)は正レンズＬAのアッベ数（ｎd(LA)−１）／（ｎF(LA)−ｎC(LA)）、
ｎd(LA)、ｎC(LA)、ｎF(LA)は正レンズＬAの各々ｄ線、Ｃ線、Ｆ線の屈折率をそれぞれ表す。
【００１７】
条件式（１）は正レンズＬAの硝材の屈折率とアッベ数に関する。条件式（１）の上限値を上回る硝材を用いた場合、仮に、色収差補正が成り立ったとしてもペッツバール和が大きくなりやすく、像面湾曲の補正がしづらい。 
一方、条件式（１）の下限値を下回る硝材を用いた場合、球面収差、コマ収差、メリジオナル像面湾曲など各収差の変倍における変動量が大きくなりやすく、変倍域全体で安定した結像性能を得にくくなる。
【００１８】
条件式（２）は、条件式（１）に付随して正レンズＬAの硝材のアッベ数の上限値を規定したものである。上限値を上回る硝材を用いた場合、そもそもＦ線とＣ線との色消し自体が困難となり好ましくない。
【００１９】
なお、条件式（１）に代えて、次の条件式（１’）を満足すると、より好ましい。
２．０４＜ｂ１＜２．３４    （但し、ｎd１＞１．３）      …（１’）
さらに、条件式（１）に代えて、次の条件式（１”）を満足すると、より一層好ましい。
２．０８＜ｂ１＜２．２８      （但し、ｎd１＞１．３）      …（１”）
【００２０】
なお、条件式（２）に代えて、次の条件式（２’）を満足すると、より好ましい。
νd１＜２７      …（２’）
さらに、条件式（２）に代えて、次の条件式（２”）を満足すると、より一層好ましい。
νd１＜２４      …（２”）
【００２１】
また、縦軸をθgF(LA)とする直交座標系において、
θgF(LA)＝αgF×νd(LA)＋βgF(LA)（但し、αgF＝−０．００５６６）
で表される直線を設定したときに、以下の条件式（３）の範囲の下限値であるときの直線、及び上限値であるときの直線で定まる領域と、前記条件式（１）と（２）で定まる領域との３つの領域に、前記正レンズＬAのθgF及びｎd及びνdが含まれるようにするとより好ましい。
０．７７００＜βgF(LA)＜０．８３００  …（３）
ここで、θgF(LA)は正レンズＬAの部分分散比（ｎg−ｎF）／（ｎF−ｎC）、ｎg(LA)はｇ線の屈折率をそれぞれ表す。
【００２２】
条件式（３）は、正レンズＬAの硝材の部分分散比θgFに関する。条件式（３）の下限値を下回る硝材を正レンズＬAに用いた場合、望遠側における二次スペクトルによる軸上色収差つまりＦ線とＣ線で色消しをしたときのｇ線の軸上色収差の補正が十分でなくなる。そのため、特に望遠側の撮像で得た画像において、画面全体に亘り鮮鋭さを確保しづらい。
一方、条件式（３）の上限値を上回る硝材を正レンズＬAに用いた場合、広角側における二次スペクトルによる倍率色収差つまりＦ線とＣ線で色消しをしたときのｇ線の倍率色収差の補正が十分でなくなる。そのため、特に広角側の撮像で得た画像において、画面周辺部の鮮鋭さを確保しづらい。
【００２３】
なお、条件式（３）に代えて、次の条件式（３’）を満足すると、より好ましい。
０．７８００＜βgF１＜０．８２００      …（３’）
さらに、条件式（３）に代えて、次の条件式（３”）を満足すると、より一層好ましい。
０．７９００＜βgF１＜０．８１００      …（３”）
【００２４】
また、前記第２レンズ群Ｇ２の像側のレンズ成分は物体側から正レンズＬAと負レンズＬBの順に接合されており、前記正レンズＬAの形状ファクターが以下の条件式（４）を満足するとよい。
１．１＜（ｒa＋ｒb）／（ｒa−ｒb）＜６．０      ・・・（４）
ここで、
ｒaは、前記正レンズＬAの物体側の面の光軸上における曲率半径、
ｒbは、前記正レンズＬAの像側の面（接合面）の光軸上における曲率半径、
である。
【００２５】
条件式（４）は前記正レンズＬAのシェープファクターに関するものであるが、下限値を下回ると全長が短い状態で高い変倍率を確保しづらくなる。上限値を上回ると色収差、コマ収差、メリジオナル像面湾曲など各収差の変倍における変動量が大きくなりやすく、変倍域全体で安定した結像性能を得にくくなる。
【００２６】
なお、条件式（４）に代えて、次の条件式（４’）を満足すると、より好ましい。
１．２＜（ｒa＋ｒb）／（ｒa−ｒb）＜５．０      …（４’）
さらに、条件式（４）に代えて、次の条件式（４”）を満足すると、より一層好ましい。
１．２５＜（ｒa＋ｒb）／（ｒa−ｒb）＜４．０      …（４”）
【００２７】
ところで、全長を短くする設計あるいは収納時の奥行きを薄くする設計を行なう場合、軸上色収差や倍率色収差といった近軸の色収差ばかりではなく、色コマ収差、色のメリジオナル像面湾曲、色の歪曲収差といった高次の色収差も大きくなる傾向にある。
【００２８】
そこで、軸外の主光線高が高い第２レンズ群Ｇ２の像側のレンズ成分は、物体側から正レンズＬAと負レンズＬBの順に接合されており、
前記第２レンズ群Ｇ２の像側のレンズ成分は両空気接触面がそれぞれの光軸上の曲率半径の球面に対してともに物体側へ偏倚する非球面形状であり、
光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（５）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋      …（５）
偏倚量を下記の式（６）で表した場合、
Δz＝ｚ−h2／R［１＋｛１−h2／R2 ｝1/2 ］      …（６）
以下の条件式（７）を満足することを特徴とする請求項１〜３のいずれか一項に記載の結像光学系。
ΔｚA（h）≦０、  ΔｚB（h）≦０    〈但し、ｈ＝0.9a〉、かつ、
-3.0e-4≦｛P(LA)−P(LB)｝／ｙ10≦+２.0e-3  〈但し、ｈ＝0.9a〉  ・・・（７）
ここで、
ｚAは前記正レンズＬAの空気接触面の形状であって、式（５）に従う形状、
ｚBは前記負レンズＬBの空気接触面の形状であって、式（５）に従う形状、
ｚCは前記接合面の形状であって、式（５）に従う形状、
ΔｚAは前記正レンズＬAの空気接触面の光軸における曲率半径の球面に対する偏倚量であって、式（６）に従う量、
ΔｚBは前記負レンズＬBの空気接触面の光軸における曲率半径の球面に対する偏倚量であって、式（６）に従う量、
ΔｚCは前記接合面の光軸における曲率半径の球面に対する偏倚量であって、式（６）に従う量、
νd(LA)は前記正レンズＬAのｄ線に対するアッベ数（ｎdA−1)／（ｎFA−ｎCA）、
νd(LB)は前記負レンズＬBのｄ線に対するアッベ数（ｎdB−1)／（ｎFB−ｎCB）、
ｎdA、ｎCA、ｎFAは、各々前記正レンズＬAのｄ線、Ｃ線、Ｆ線に対する屈折率、
ｎdB、ｎCB、ｎFBは、各々前記負レンズＬBのｄ線、Ｃ線、Ｆ線に対する屈折率、
を表す。
P(LA)は前記正レンズＬAの非球面と分散に関するパラメータであって、以下の式で表され、
P(LA)  ＝（ΔｚC（h）−ΔｚA（h））／νd(LA)
P(LB)は負レンズＬBの非球面と分散に関するパラメータであって、以下の式で表され、
P(LB)  ＝（ΔｚC（h）−ΔｚB（h））／νd(LB)
aは以下の条件式（８）式に従う量、
a＝(ｙ10)2・log10γ／ｆw      ・・・（８）
両空気接触面は球面であってもよく、
ｙ10は本発明の結像光学系の結像位置近傍に配置された電子撮像素子の有効撮像面内（撮像可能な面内）において、中心から最も遠い点までの距離（最大像高）、
ｆwは前記結像光学系の広角端における全系の焦点距離、
γはズーム比（望遠端での全系焦点距離／広角端での全系焦点距離）、
また、各面の面頂を原点とするため、常にｚ（０）＝０である。
【００２９】
両空気接触面の非球面は、基本的、に基準波長に関するコマ収差、メリジオナル像面湾曲、歪曲収差を高次に亘って補正することを目的に導入している。しかしながら、逆にこれらの基準波長以外の収差が悪化する場合がある。
【００３０】
そこで、接合面も非球面とし、条件式（７）を満たすことで基準波長以外の波長の収差劣化を補正している。下限値あるいは上限値のいずれかを超えると各波長に関するコマ収差、メリジオナル像面湾曲、歪曲収差が却って悪化しやすい。
【００３１】
なお、条件式（７）に代えて、次の条件式（７’）を満足すると、より好ましい。
+１.0e-6≦｛P(LA)−P(LB)｝／ｙ10≦+１.0e-3  〈但し、ｈ＝0.9a〉  …（７’）
さらに、条件式（７）に代えて、次の条件式（７”）を満足すると、より一層好ましい。
+１.0e-5≦｛P(LA)−P(LB)｝／ｙ10≦+5.0e-4  〈但し、ｈ＝0.9a〉      …（７”）
【００３２】
また、接合面における屈折率差は条件式（９）に示すようにできるだけ小さい方が基準波長に関するコマ収差、メリジオナル像面湾曲、歪曲収差を悪化せずにこれらの基準波長以外の収差を補正しやすい。
【００３３】
｜ΔｎAB｜＜０．１８      ・・・（９）
ここで、ΔｎABは、正レンズＬAと負レンズＬBそれぞれの媒質のｄ線に対する屈折率差である。
条件式（９）の上限値を上回ると、基準波長に関するコマ収差、メリジオナル像面湾曲、歪曲収差とこれらの基準波長以外の収差を同時に補正しづらくなる。
【００３４】
なお、条件式（９）に代えて、次の条件式（９’）を満足すると、より好ましい。
｜ΔｎAB｜＜０．１５      ・・・（９’）
さらに、条件式（９）に代えて、次の条件式（９”）を満足すると、より一層好ましい。
｜ΔｎAB｜＜０．１１      ・・・（９”）
【００３５】
また、全長を短くあるいは収納時に薄くする条件で光学設計すると第２レンズ群Ｇ２の屈折力を高めなくてはならないと述べた。その屈折力を得るために、第２レンズ群Ｇ２の最も物体側の負レンズ成分Ｌ２１を構成する負レンズの媒質の屈折率ｎ２１を以下の条件とするのがよい。
【００３６】
最も物体側の負レンズ成分Ｌ２１を対象とすることが良い理由を述べる。第２レンズ群Ｇ２の屈折力を高めるほど広角側での収差補正が困難となる。しかしながら、補正可能性を上げるには第２レンズ群Ｇ２内での光線高を下げるような屈折力配置が好ましい。つまり、第２レンズ群Ｇ２の主点位置を極力物体側に寄せるためである。
ｎ２１＞１．８５      ・・・（１０）
条件式（１０）の下限値を下回ると、特に広角側におけるコマ収差、メリジオナル像面湾曲、歪曲収差が悪化しやすい。
【００３７】
なお、本発明の結像光学系では、広角端における光学全長を望遠端の０．７５倍以下とする方が、特に広角側の軸外と望遠側の画面全域の収差補正状況を含めた薄型化あるいは第１群の径の縮小化には有利である。さらに、０．７以下とすればなおよい。
【００３８】
また、広角端から望遠端に変倍する際の第１レンズ群Ｇ１の移動量に対する第２レンズ群Ｇ２移動量の比の絶対値を０.４以下とする方が、特に広角側の軸外と望遠側の画面全域の収差補正状況を含めた薄型化あるいは第１群の径の縮小化には有利である。そして、出来れば同じ方向に移動した方がよい。さらに、絶対値を０.３以下とすればなおよい。
【００３９】
また、第１レンズ群Ｇ１の合成焦点距離に対する第２レンズ群Ｇ２の合成焦点距離の比の絶対値を０．２５以下とする方が、特に広角側の軸外と望遠側の画面全域の収差補正状況を含めた薄型化あるいは第１レンズ群Ｇ１の径の縮小化には有利である。さらに、０.２０以下とすればなおよい。
【００４０】
また、変倍時には全系の焦点距離ｆが１.２ fw以上かつ１.８fw以下のいずれかのときに、第２レンズ群Ｇ２が広角端のときよりも像側に位置するように移動する方が、特に広角側の軸外と望遠側の画面全域の収差補正状況を含めた薄型化あるいは第１レンズ群Ｇ１の径の縮小化には有利である。
【００４１】
また、広角端から望遠端に向けて変倍する際に、前記第３レンズ群Ｇ３は物体側のみに移動する方が、特に広角側の軸外と望遠側の画面全域の収差補正状況を含めた薄型化あるいは第１レンズ群Ｇ１の径の縮小化には有利である。
【００４２】
また、無限遠の被写体に合焦した場合、前記第４レンズ群Ｇ４は望遠端のときに広角端のときよりも像側に位置するように移動する方が、前記第３レンズ群Ｇ３の増倍作用を軽減でき、変倍時の収差変動を少なくするのに有利である。
（効果）
本発明を用いることにより、従来技術による３倍クラスの結像光学系の光学全長をそのままに、変倍比が５から７倍、広角端画角が７５度程度の高い仕様でかつ結像性能が好ましい結像光学系を得ることが出来る。
【００４３】
（実施例）
以下、ズーム光学系に関する８つの実施例を示す。実施例１〜２はズーム比が５倍程度、広角端半画角が３７度程度で、かつ保証されたイメージサークル直径（最大像高の２倍）に対する望遠端における光学全長が４．９倍以下を実現している。また、実施例３〜８はズーム比が７倍程度、広角端半画角が３７度程度で、かつ保証されたイメージサークル直径（最大像高の２倍）に対する望遠端における光学全長が５．７倍以下を実現している。
【００４４】
本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００４５】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【００４６】
実施例１のズームレンズは、図１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。なお、以下全ての実施例において、レンズ断面図中、ＬＰＦはローパスフィルター、ＣＧはカバーガラス、Ｉは電子撮像素子の撮像面を示している。
【００４７】
第１レンズ群Ｇ１は、物体側より順に、物体側に凸面を向けた負メニスカスレンズＬ１と両凸正レンズＬ２との接合レンズとで構成されており、全体で正の屈折力を有している。
【００４８】
メニスカスレンズＬ１はレンズＬC、正レンズＬ２はレンズＬDに対応する。
【００４９】
第２レンズ群Ｇ２は、物体側より順に、両凹負レンズＬ３と、像面側に凸面を向けた正メニスカスレンズＬ４と像面側に凸面を向けた負メニスカスレンズＬ５との接合レンズで構成されており、全体で負の屈折力を有している。
【００５０】
メニスカスレンズＬ４はレンズＬA、メニスカスレンズＬ５はレンズＬBに対応する。
【００５１】
第３レンズ群Ｇ３は、両凸正レンズL６と、物体側に凸面を向けた正メニスカスレンズＬ７と物体側に凸面を向けた負メニスカスレンズＬ８との接合レンズで構成されており、全体で正の屈折力を有している。
【００５２】
第４レンズ群Ｇ４は、像面側に凸面を向けた正メニスカスレンズＬ９で構成されており、全体で正の屈折力を有している。
【００５３】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は像面側へ移動した後、反転して物体側へ移動する。
【００５４】
非球面は、第１レンズ群Ｇ１の負メニスカスレンズＬ１の両面と、両凸正レンズＬ２の像面側の面と、第２レンズ群Ｇ２の正メニスカスレンズＬ４の両面と、凹メニスカスレンズＬ５の像側の面と、第３レンズ群Ｇ３の両凸正レンズＬ６の両面と、第４レンズ群Ｇ４の正メニスカスレンズＬ９の像側の面との９面に設けられている。
【００５５】
本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【００５６】
図４は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００５７】
実施例２のズームレンズは、図３に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【００５８】
第１レンズ群Ｇ１は、物体側より順に、物体側に凸面を向けた負メニスカスレンズＬ１と両凸正レンズＬ２との接合レンズとで構成されており、全体で正の屈折力を有している。
【００５９】
メニスカスレンズＬ１はレンズＬC、正レンズＬ２はレンズＬDに対応する。
【００６０】
第２レンズ群Ｇ２は、物体側より順に、両凹負レンズＬ３と、像面側に凸面を向けた正メニスカスレンズＬ４と像面側に凸面を向けた負メニスカスレンズＬ５との接合レンズで構成されており、全体で負の屈折力を有している。
【００６１】
メニスカスレンズＬ４はレンズＬA、メニスカスレンズＬ５はレンズＬBに対応する。
【００６２】
第３レンズ群Ｇ３は、両凸正レンズL６と、物体側に凸面を向けた正メニスカスレンズＬ７と物体側に凸面を向けた負メニスカスレンズＬ８との接合レンズで構成されており、全体で正の屈折力を有している。
【００６３】
第４レンズ群Ｇ４は、像面側に凸面を向けた正メニスカスレンズＬ９で構成されており、全体で正の屈折力を有している。
【００６４】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は像面側へ移動した後、反転して物体側へ移動する。
【００６５】
非球面は、第１レンズ群Ｇ１の負メニスカスレンズＬ１の両面と、両凸正レンズＬ２の像面側の面と、第２レンズ群Ｇ２の正メニスカスレンズＬ４の両面と、凹メニスカスレンズＬ５の像側の面と、第３レンズ群Ｇ３の両凸正レンズＬ６の両面と、第４レンズ群Ｇ４の正メニスカスレンズＬ９の像側の面との９面に設けられている。
【００６６】
本発明の実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【００６７】
図６は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００６８】
実施例３のズームレンズは、図５に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、正の屈折力を有する第５レンズ群Ｇ５とを有している。
【００６９】
第１レンズ群Ｇ１は、物体側より順に、物体側に凸面を向けた負メニスカスレンズＬ１と両凸正レンズＬ２との接合レンズとで構成されており、全体で正の屈折力を有している。
【００７０】
メニスカスレンズＬ１はレンズＬC、正レンズＬ２はレンズＬDに対応する。
【００７１】
第２レンズ群Ｇ２は、物体側より順に、物体側に凸面を向けた負メニスカスレンズＬ３と、像面側に凸面を向けた正メニスカスレンズＬ４と両凹負レンズＬ５との接合レンズで構成されており、全体で負の屈折力を有している。
【００７２】
メニスカスレンズＬ４はレンズＬA、両凹負レンズＬ５はレンズＬBに対応する。
【００７３】
第３レンズ群Ｇ３は、両凸正レンズL６と、両凸正レンズＬ７と両凹負レンズＬ８との接合レンズで構成されており、全体で正の屈折力を有している。
【００７４】
第４レンズ群Ｇ４は、像面側に凸面を向けた正メニスカスレンズＬ９で構成されており、全体で正の屈折力を有している。
【００７５】
第５レンズ群Ｇ５は、物体側に凸面を向けた平凸正レンズＬ１０で構成されており、全体で正の屈折力を有している。
【００７６】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は特に中間焦点距離状態から望遠端にかけて像面側へ移動する。第５レンズ群Ｇ５は像位置に対して略固定している。
【００７７】
非球面は、第１レンズ群Ｇ１の負メニスカスレンズＬ１の両面と、両凸正レンズＬ２の像面側の面と、第２レンズ群Ｇ２の正メニスカスレンズＬ４の両面と、両凹負レンズＬ５の像側の面と、第３レンズ群Ｇ３の両凸正レンズＬ６の両面と、第５レンズ群Ｇ５の平凸正レンズＬ１０の物体側の面との９面に設けられている。
【００７８】
本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【００７９】
図８は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００８０】
実施例４のズームレンズは、図７に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、正の屈折力を有する第５レンズ群Ｇ５とを有している。
【００８１】
第１レンズ群Ｇ１は、物体側より順に、物体側に凸面を向けた負メニスカスレンズＬ１と物体側に凸面を向けた正メニスカスレンズＬ２との接合レンズとで構成されており、全体で正の屈折力を有している。
【００８２】
メニスカスレンズＬ１はレンズＬC、メニスカスレンズＬ２はレンズＬDに対応する。
【００８３】
第２レンズ群Ｇ２は、物体側より順に、物体側に凸面を向けた負メニスカスレンズＬ３と、像面側に凸面を向けた正メニスカスレンズＬ４と像面側に凸面を向けた負メニスカスレンズＬ５との接合レンズで構成されており、全体で負の屈折力を有している。
【００８４】
メニスカスレンズＬ４はレンズＬA、メニスカスレンズＬ５はレンズＬBに対応する。
【００８５】
第３レンズ群Ｇ３は、両凸正レンズL６と、両凸正レンズＬ７と両凹負レンズＬ８との接合レンズで構成されており、全体で正の屈折力を有している。
【００８６】
第４レンズ群Ｇ４は、像面側に凸面を向けた正メニスカスレンズＬ９で構成されており、全体で正の屈折力を有している。
【００８７】
第５レンズ群Ｇ５は、物体側に凸面を向けた平凸正レンズＬ１０で構成されており、全体で正の屈折力を有している。
【００８８】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は特に中間焦点距離状態から望遠端にかけて像面側へ移動する。第５レンズ群Ｇ５は像位置に対して略固定している。
【００８９】
非球面は、第１レンズ群Ｇ１の負メニスカスレンズＬ１の両面と、正メニスカスレンズＬ２の像面側の面と、第２レンズ群Ｇ２の正メニスカスレンズＬ４の両面と、負メニスカスレンズＬ５の像側の面と、第３レンズ群Ｇ３の両凸正レンズＬ６の両面と、第５レンズ群Ｇ５の平凸正レンズＬ１０の物体側の面との９面に設けられている。
【００９０】
本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【００９１】
図１０は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００９２】
実施例５のズームレンズは、図９に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、正の屈折力を有する第５レンズ群Ｇ５とを有している。
【００９３】
第１レンズ群Ｇ１は、物体側より順に、物体側に凸面を向けた負メニスカスレンズＬ１と物体側に凸面を向けた正メニスカスレンズＬ２との接合レンズとで構成されており、全体で正の屈折力を有している。
【００９４】
メニスカスレンズＬ１はレンズＬC、メニスカスレンズＬ２はレンズＬDに対応する。
【００９５】
第２レンズ群Ｇ２は、物体側より順に、物体側に凸面を向けた負メニスカスレンズＬ３と、像面側に凸面を向けた正メニスカスレンズＬ４と像面側に凸面を向けた負メニスカスレンズＬ５との接合レンズで構成されており、全体で負の屈折力を有している。
【００９６】
メニスカスレンズＬ４はレンズＬA、メニスカスレンズＬ５はレンズＬBに対応する。
【００９７】
第３レンズ群Ｇ３は、両凸正レンズL６と、両凸正レンズＬ７と両凹負レンズＬ８との接合レンズで構成されており、全体で正の屈折力を有している。
【００９８】
第４レンズ群Ｇ４は、像面側に凸面を向けた正メニスカスレンズＬ９で構成されており、全体で正の屈折力を有している。
【００９９】
第５レンズ群Ｇ５は、物体側に凸面を向けた平凸正レンズＬ１０で構成されており、全体で正の屈折力を有している。
【０１００】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は特に中間焦点距離状態から望遠端にかけて像面側へ移動する。第５レンズ群Ｇ５は像位置に対して略固定している。
【０１０１】
非球面は、第１レンズ群Ｇ１の負メニスカスレンズＬ１の両面と、正メニスカスレンズＬ２の像面側の面と、第２レンズ群Ｇ２の正メニスカスレンズＬ４の両面と、負メニスカスレンズＬ５の像側の面と、第３レンズ群Ｇ３の両凸正レンズＬ６の両面と、第５レンズ群Ｇ５の平凸正レンズＬ１０の物体側の面との９面に設けられている。
【０１０２】
本発明の実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０３】
図１２は実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１０４】
実施例６のズームレンズは、図１１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、正の屈折力を有する第５レンズ群Ｇ５とを有している。
【０１０５】
第１レンズ群Ｇ１は、物体側より順に、物体側に凸面を向けた負メニスカスレンズＬ１と物体側に凸面を向けた正メニスカスレンズＬ２との接合レンズとで構成されており、全体で正の屈折力を有している。
【０１０６】
メニスカスレンズＬ１はレンズＬC、メニスカスレンズＬ２はレンズＬDに対応する。
【０１０７】
第２レンズ群Ｇ２は、物体側より順に、物体側に凸面を向けた負メニスカスレンズＬ３と、像面側に凸面を向けた正メニスカスレンズＬ４と像面側に凸面を向けた負メニスカスレンズＬ５との接合レンズで構成されており、全体で負の屈折力を有している。
【０１０８】
メニスカスレンズＬ４はレンズＬA、メニスカスレンズＬ５はレンズＬBに対応する。
【０１０９】
第３レンズ群Ｇ３は、両凸正レンズＬ６と、両凸正レンズＬ７と両凹負レンズＬ８との接合レンズで構成されており、全体で正の屈折力を有している。
【０１１０】
第４レンズ群Ｇ４は、像面側に凸面を向けた正メニスカスレンズＬ９で構成されており、全体で正の屈折力を有している。
【０１１１】
第５レンズ群Ｇ５は、物体側に凸面を向けた平凸正レンズＬ１０で構成されており、全体で正の屈折力を有している。
【０１１２】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は特に中間焦点距離状態から望遠端にかけて像面側へ移動する。第５レンズ群Ｇ５は像位置に対して略固定している。
【０１１３】
非球面は、第１レンズ群Ｇ１の負メニスカスレンズＬ１の両面と、正メニスカスレンズＬ２の像面側の面と、第２レンズ群Ｇ２の正メニスカスレンズＬ４の両面と、負メニスカスレンズＬ５の像側の面と、第３レンズ群Ｇ３の両凸正レンズＬ６の両面と、第５レンズ群Ｇ５の平凸正レンズＬ１０の物体側の面との９面に設けられている。
【０１１４】
本発明の実施例７にかかるズームレンズについて説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１５】
図１４は実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１１６】
実施例７のズームレンズは、図１３に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、正の屈折力を有する第５レンズ群Ｇ５とを有している。
【０１１７】
第１レンズ群Ｇ１は、物体側より順に、物体側に凸面を向けた負メニスカスレンズＬ１と物体側に凸面を向けた正メニスカスレンズＬ２との接合レンズとで構成されており、全体で正の屈折力を有している。
【０１１８】
メニスカスレンズＬ１はレンズＬC、メニスカスレンズＬ２はレンズＬDに対応する。
【０１１９】
第２レンズ群Ｇ２は、物体側より順に、物体側に凸面を向けた負メニスカスレンズＬ３と、像面側に凸面を向けた正メニスカスレンズＬ４と像面側に凸面を向けた負メニスカスレンズＬ５との接合レンズで構成されており、全体で負の屈折力を有している。
【０１２０】
メニスカスレンズＬ４はレンズＬA、メニスカスレンズＬ５はレンズＬBに対応する。
【０１２１】
第３レンズ群Ｇ３は、両凸正レンズＬ６と、両凸正レンズＬ７と両凹負レンズＬ８との接合レンズで構成されており、全体で正の屈折力を有している。
【０１２２】
第４レンズ群Ｇ４は、像面側に凸面を向けた正メニスカスレンズＬ９で構成されており、全体で正の屈折力を有している。
【０１２３】
第５レンズ群Ｇ５は、物体側に凸面を向けた平凸正レンズＬ１０で構成されており、全体で正の屈折力を有している。
【０１２４】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は像面側へ移動する。第５レンズ群Ｇ５は像位置に対して略固定している。
【０１２５】
非球面は、第１レンズ群Ｇ１の負メニスカスレンズＬ１の両面と、正メニスカスレンズＬ２の像面側の面と、第２レンズ群Ｇ２の正メニスカスレンズＬ４の両面と、負メニスカスレンズＬ５の像側の面と、第３レンズ群Ｇ３の両凸正レンズＬ６の両面と、第５レンズ群Ｇ５の平凸正レンズＬ１０の物体側の面との９面に設けられている。
【０１２６】
本発明の実施例８にかかるズームレンズについて説明する。図１５は本発明の実施例８にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２７】
図１６は実施例８にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１２８】
実施例８のズームレンズは、図１５に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、正の屈折力を有する第５レンズ群Ｇ５とを有している。
【０１２９】
第１レンズ群Ｇ１は、物体側より順に、物体側に凸面を向けた負メニスカスレンズＬ１と物体側に凸面を向けた正メニスカスレンズＬ２との接合レンズとで構成されており、全体で正の屈折力を有している。
【０１３０】
メニスカスレンズＬ１はレンズＬC、メニスカスレンズＬ２はレンズＬDに対応する。
【０１３１】
第２レンズ群Ｇ２は、物体側より順に、物体側に凸面を向けた負メニスカスレンズＬ３と、像面側に凸面を向けた正メニスカスレンズＬ４と像面側に凸面を向けた負メニスカスレンズＬ５との接合レンズで構成されており、全体で負の屈折力を有している。
【０１３２】
メニスカスレンズＬ４はレンズＬA、メニスカスレンズＬ５はレンズＬBに対応する。
【０１３３】
第３レンズ群Ｇ３は、両凸正レンズＬ６と、両凸正レンズＬ７と両凹負レンズＬ８との接合レンズで構成されており、全体で正の屈折力を有している。
【０１３４】
第４レンズ群Ｇ４は、像面側に凸面を向けた正メニスカスレンズＬ９で構成されており、全体で正の屈折力を有している。
【０１３５】
第５レンズ群Ｇ５は、物体側に凸面を向けた平凸正レンズＬ１０で構成されており、全体で正の屈折力を有している。
【０１３６】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は像面側へ移動する。第５レンズ群Ｇ５は像位置に対して略固定している。
【０１３７】
非球面は、第１レンズ群Ｇ１の負メニスカスレンズＬ１の両面と、正メニスカスレンズＬ２の像面側の面と、第２レンズ群Ｇ２の正メニスカスレンズＬ４の両面と、負メニスカスレンズＬ５の像側の面と、第３レンズ群Ｇ３の両凸正レンズＬ６の両面と、第５レンズ群Ｇ５の平凸正レンズＬ１０の物体側の面との９面に設けられている。
【０１３８】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０１３９】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10  …（Ｉ）
また、Ｅは１０のべき乗を表している。なお、これら諸元値の記号は後述の実施例の数値データにおいても共通である。
【０１４０】
数値実施例１
単位ｍｍ
面データ
面番号    r             d           nd           νd          ER
物面      ∞           ∞
1*      18.5174       0.1000      1.63387        23.38       6.049 
2*      11.6731       2.8000      1.53071        55.69       5.681 
3*     -59.7630       可変                                   5.500
4      -53.5764       0.7000      1.88300        40.76       4.025
5        5.2689       1.5000                                 3.129
6*     -28.7623       1.0000      1.63387        23.38       3.089 
7*      -4.9078       0.8000      1.53071        55.69       3.077 
8*    -489.0342       可変                                   2.900
9(絞り)   ∞         -0.3000                                 1.892
10*      3.9451       1.8000      1.58313        59.38       1.909
11*     -9.2478       0.1000                                 1.830
12       4.4930       1.0000      1.69680        55.53       1.740
13       6.5183       0.3000      1.80810        22.76       1.529
14       2.5334       可変                                   1.400
15    -135.7808       1.5000      1.53071        55.69       2.098
16*    -11.5417       可変                                   2.431
17        ∞          0.3000      1.51633        64.14       3.369
18        ∞          0.5000                                 3.426
19        ∞          0.5000      1.51633        64.14       3.576
20        ∞          0.5524                                 3.673
像面（撮像面）∞
非球面データ
第１面
K=0.
A2=0.0000E+00,A4=5.6858E-05,A6=-1.2805E-06,A8=1.1979E-08,A10=0.0000E+00
第２面
K=0.
A2=0.0000E+00,A4=1.3749E-06,A6=3.2489E-06,A8=-7.1847E-08,A10=0.0000E+00
第３面
K=0.
A2=0.0000E+00,A4=7.4235E-05,A6=-2.1677E-06,A8=3.4050E-08,A10=0.0000E+00
第６面
K=38.5355
A2=0.0000E+00,A4=-1.8042E-03,A6=-1.9061E-05,A8=8.6783E-06,A10=-3.1590E-07
第７面
K=0.
A2=0.0000E+00,A4=-1.9444E-04,A6=1.1750E-04,A8=-9.3665E-06,A10=0.0000E+00
第８面
K=0.
A2=0.0000E+00,A4=-2.5790E-03,A6=2.1105E-06,A8=1.1436E-05,A10=-4.3871E-07
第１０面
K=-0.1243
A2=0.0000E+00,A4=-2.4649E-03,A6=-3.4466E-05,A8=-8.8522E-06,A10=-1.2402E-06
第１１面
K=-6.1126
A2=0.0000E+00,A4=5.4821E-06,A6=-4.5069E-05,A8=-1.2007E-05,A10=0.0000E+00
第１６面
K=0.
A2=0.0000E+00,A4=1.1529E-03,A6=-8.4167E-05,A8=1.5496E-06,A10=0.0000E+00
各種データ
広角        中間         望遠
FL              4.79720     10.62065     23.96029
Fno             2.8406       4.0036       5.9893
ω             42.4°       18.9°        8.8°
像高            3.83         3.83         3.83
レンズ全長     25.4361      30.5556      37.8419  
d3              0.40000      5.23243      8.73914
d8              6.76865      3.42643      0.70000
d14             2.21851      7.56410     13.77992
d16             2.89658      1.19735      1.48626
G     始面      焦点距離   
1      1        29.53243    
2      4        -5.49397    
3      9         6.37236   
4     15        23.66882   
〔硝材屈折率テーブル〕・・・ 本実施例にて使用した媒質の波長別屈折率一覧
GLA                     587.56   656.27   486.13   435.84   404.66
L2,L5,L9               1.530710 1.527870 1.537400 1.542740 1.547272 
L1,L4                  1.633870 1.626381 1.653490 1.671610 1.688826 
L6                     1.583126 1.580139 1.589960 1.595296 1.599721
L10,L11                1.516330 1.513855 1.521905 1.526213 1.529768
L3                     1.882997 1.876560 1.898221 1.910495 1.920919
L7                     1.696797 1.692974 1.705522 1.712339 1.718005
L8                     1.808095 1.798009 1.833513 1.855902 1.876580
【０１４１】
数値実施例２
単位ｍｍ
面データ
面番号    r             d           nd           νd          ER
物面      ∞           ∞
1*      19.3260       0.1000      1.71003        14.57       5.890 
2*      15.3389       2.3000      1.53071        55.69       5.715 
3*     -77.2144       可変                                   5.500
4      -72.4395       0.7000      1.88300        40.76       4.339
5        5.5442       2.0000                                 3.398
6*     -25.0712       0.5000      1.71003        14.57       3.295 
7*      -8.9406       0.8000      1.53071        55.69       3.294 
8*     -52.2700       可変                                   3.200
9(絞り)   ∞         -0.3000                                 2.019
10*      3.9529       1.8000      1.58313        59.38       2.045
11*     -9.9056       0.1000                                 1.935
12       4.6792       1.0000      1.69680        55.53       1.770
13       6.9776       0.3000      1.80810        22.76       1.536
14       2.5747       可変                                   1.400
15     -20.6417       1.5000      1.53071        55.69       2.046
16*     -8.0690       可変                                   2.400
17        ∞          0.3000      1.51633        64.14       3.394
18        ∞          0.5000                                 3.449
19        ∞          0.5000      1.51633        64.14       3.591
20        ∞          0.5494                                 3.683
像面（撮像面）∞
非球面データ
第１面
K=0.
A2=0.0000E+00,A4=1.3579E-04,A6=-3.3957E-06,A8=4.7189E-08,A10=0.0000E+00
第２面
K=0.
A2=0.0000E+00,A4=1.2704E-04,A6=-1.7806E-06,A8=-4.5828E-10,A10=0.0000E+00
第３面
K=0.
A2=0.0000E+00,A4=1.7059E-04,A6=-5.5615E-06,A8=1.0432E-07,A10=0.0000E+00
第６面
K=38.4082
A2=0.0000E+00,A4=-1.5821E-03,A6=-4.9587E-05,A8=8.2596E-06,A10=-1.9467E-08
第７面
K=0.
A2=0.0000E+00,A4=-1.2464E-03,A6=-3.9906E-05,A8=3.4685E-06,A10=0.0000E+00
第８面
K=0.
A2=0.0000E+00,A4=-2.3783E-03,A6=-4.5751E-05,A8=1.2255E-05,A10=-3.3359E-07
第１０面
K=-0.1223
A2=0.0000E+00,A4=-2.2778E-03,A6=-6.4175E-05,A8=3.0664E-06,A10=-2.2602E-06
第１１面
K=-6.0660
A2=0.0000E+00,A4=6.6462E-06,A6=1.9775E-05,A8=-1.8356E-05,A10=0.0000E+00
第１６面
K=0.
A2=0.0000E+00,A4=1.3590E-03,A6=-8.5617E-05,A8=1.8495E-06,A10=0.0000E+00
各種データ
広角        中間         望遠
FL              4.79880     11.53189     23.98403
Fno             2.7257       4.1237       5.9893
ω             42.3°       17.7°        8.8°
像高            3.83         3.83         3.83
レンズ全長     26.1394      30.7582      37.7375 
d3              0.40000      5.03451      8.33503
d8              7.72257      3.34284      0.70000
d14             2.19978      8.52062     14.57717
d16             3.16762      1.20283      1.48460
G     始面      焦点距離   
1      1        31.57200   
2      4        -5.99507     
3      9         6.74591   
4     15        23.97068  
〔硝材屈折率テーブル〕・・・ 本実施例にて使用した媒質の波長別屈折率一覧
GLA                     587.56   656.27   486.13   435.84   404.66
L2,L5,L9               1.530710 1.527870 1.537400 1.542740 1.547272 
L1,L4                  1.710030 1.696030 1.744770 1.779970 1.816000 
L6                     1.583126 1.580139 1.589960 1.595296 1.599721
L10,L11                1.516330 1.513855 1.521905 1.526213 1.529768
L3                     1.882997 1.876560 1.898221 1.910495 1.920919
L7                     1.696797 1.692974 1.705522 1.712339 1.718005
L8                     1.808095 1.798009 1.833513 1.855902 1.876580
【０１４２】
数値実施例３
単位ｍｍ
面データ
面番号    r             d           nd           νd          ER
物面      ∞           ∞
1*      11.6138       0.1000      1.63387        23.38       6.261 
2*       8.3766       3.2865      1.53071        55.69       5.824 
3*      84.2186       可変                                   5.200
4       84.1740       0.7000      1.88300        40.76       4.123
5        4.1516       1.9000                                 3.003
6*     -38.7681       1.0000      1.63387        23.38       2.897 
7*      -4.9893       0.8000      1.53071        55.69       2.884 
8*     221.7501       可変                                   2.700
9(絞り)   ∞         -0.3000                                 1.848
10*      5.6005       1.8029      1.58313        59.38       1.848
11*     -6.6846       0.1000                                 2.015
12       7.5088       1.5987      1.69680        55.53       2.025
13     -10.4416       0.3000      1.69895        30.13       1.905
14       3.3324       可変                                   1.799
15     -13.4131       1.5000      1.53071        55.69       2.371
16      -7.8791       可変               .                   2.695
17*     17.8930       1.2000      1.53071        55.69       3.523
18        ∞          0.5000                                 3.631
19        ∞          0.5000      1.51633        64.14       3.714
20        ∞          0.5524                                 3.768
像面（撮像面）∞
非球面データ
第１面
K=0.
A2=0.0000E+00,A4=-5.2038E-05,A6=9.2429E-07,A8=-6.6982E-10,A10=0.0000E+00
第２面
K=0.
A2=0.0000E+00,A4=-1.4453E-04,A6=3.0174E-06,A8=-4.5448E-08,A10=0.0000E+00
第３面
K=0.
A2=0.0000E+00,A4=-4.0937E-05,A6=2.1932E-06,A8=-1.4276E-08,A10=8.5105E-12
第６面
K=33.6212
A2=0.0000E+00,A4=-1.4314E-03,A6=-2.2132E-06,A8=-9.1737E-06,A10=3.8832E-07
第７面
K=0.
A2=0.0000E+00,A4=3.6629E-04,A6=-1.3701E-04,A8=0.0000E+00,A10=0.0000E+00
第８面
K=0.
A2=0.0000E+00,A4=-2.4362E-03,A6=1.4641E-05,A8=-2.5838E-06,A10=0.0000E+00
第１０面
K=0.0262
A2=0.0000E+00,A4=-3.1344E-03,A6=-4.2912E-05,A8=-3.7353E-05,A10=-3.0172E-06
第１１面
K=-6.1008
A2=0.0000E+00,A4=-3.1838E-03,A6=7.6146E-05,A8=-5.0105E-05,A10=0.0000E+00
第１７面
K=0.
A2=0.0000E+00,A4=-1.3350E-03,A6=3.3013E-05,A8=0.0000E+00,A10=0.0000E+00
各種データ
広角        中間         望遠
FL              4.79957     12.56021     33.59253
Fno             3.1675       4.5878       5.9800
ω             42.8°       16.5°        6.4°
像高            3.83         3.83         3.83
レンズ全長     30.0391      35.7267      43.3290 
d3              0.40000      5.75020     12.06710
d8              8.22200      3.56049      0.70000
d14             2.60114      7.58304     13.53310
d16             3.27546      3.28529      1.49568
d18             0.50000      0.50000      0.50000
G     始面      焦点距離   
1      1        27.32498    
2      4        -5.09066    
3      9         7.08264    
4     15        32.89250    
5     17        33.71518    
〔硝材屈折率テーブル〕・・・ 本実施例にて使用した媒質の波長別屈折率一覧
GLA                     587.56   656.27   486.13   435.84   404.66
L2,L5,L9,L10           1.530710 1.527870 1.537400 1.542740 1.547272 
L1,L4                  1.633870 1.626381 1.653490 1.671610 1.688826 
L6                     1.583126 1.580139 1.589960 1.595296 1.599721
L11                    1.516330 1.513855 1.521905 1.526213 1.529768
L3                     1.882997 1.876560 1.898221 1.910495 1.920919
L7                     1.696797 1.692974 1.705522 1.712339 1.718005
L8                     1.698947 1.692225 1.715424 1.729410 1.741890
【０１４３】
数値実施例４
単位ｍｍ
面データ
面番号    r             d           nd           νd          ER
物面      ∞           ∞
1*      11.1053       0.1000      1.71003        14.57       5.955 
2*       9.5950       3.0620      1.53071        55.69       5.744 
3*      50.9055       可変                                   5.200
4       50.7715       0.7000      1.88300        40.76       4.128
5        4.1294       2.2000                                 3.009
6*     -20.2526       0.4000      1.71003        14.57       2.852 
7*      -8.1442       0.8000      1.53071        55.69       2.855 
8*     -40.3610       可変                                   2.800
9(絞り)   ∞         -0.3000                                 1.997
10*      5.1861       1.8096      1.58313        59.38       2.004
11*     -7.4953       0.1000                                 2.000
12       7.3819       1.5995      1.69680        55.53       2.011
13      -9.9399       0.3000      1.69895        30.13       1.891
14       3.2970       可変                                   1.785
15     -11.8281       1.5000      1.53071        55.69       2.354
16      -7.3892       可変                                   2.688
17*     17.8301       1.2000      1.53071        55.69       3.496
18        ∞          0.5000                                 3.613
19        ∞          0.5000      1.51633        64.14       3.703
20        ∞          0.5528                                 3.762
像面（撮像面）∞
非球面データ
第１面
K=0.
A2=0.0000E+00,A4=-4.4522E-05,A6=7.5725E-07,A8=1.2195E-08,A10=0.0000E+00
第２面
K=0.
A2=0.0000E+00,A4=-6.0488E-05,A6=9.2905E-07,A8=1.0974E-08,A10=0.0000E+00
第３面
K=0.
A2=0.0000E+00,A4=-4.2531E-05,A6=2.9618E-06,A8=-1.4764E-08,A10=5.5173E-11
第６面
K=32.8928
A2=0.0000E+00,A4=-1.3976E-03,A6=-1.3430E-07,A8=-1.4428E-05,A10=8.4371E-07
第７面
K=0.
A2=0.0000E+00,A4=-1.2971E-03,A6=-1.3519E-04,A8=0.0000E+00,A10=0.0000E+00
第８面
K=0.
A2=0.0000E+00,A4=-2.7035E-03,A6=-2.3747E-05,A8=-2.7067E-06,A10=0.0000E+00
第１０面
K=0.1464
A2=0.0000E+00,A4=-2.4544E-03,A6=-2.0154E-05,A8=-1.5725E-05,A10=-1.0269E-06
第１１面
K=-6.0578
A2=0.0000E+00,A4=-1.6091E-03,A6=5.8427E-05,A8=-2.4861E-05,A10=0.0000E+00
第１７面
K=0.
A2=0.0000E+00,A4=-1.2032E-03,A6=1.8982E-05,A8=0.0000E+00,A10=0.0000E+00
各種データ
広角        中間         望遠
FL              4.79993     12.50011     33.59834
Fno             2.9280       4.2575       5.9801
ω             42.9°       16.6°        6.4°
像高            3.83         3.83         3.83
レンズ全長     29.5097      34.7973      43.3079 
d3              0.30000      5.49125     11.34960
d8              8.47139      3.57524      0.70000
d14             2.59922      7.26108     14.74118
d16             3.11512      3.44027      1.49638
d18             0.50000      0.50000      0.50000
G     始面      焦点距離   
1      1        27.87401   
2      4        -5.22393   
3      9         7.06124 
4     15        33.20946  
5     17        33.59663   
〔硝材屈折率テーブル〕・・・ 本実施例にて使用した媒質の波長別屈折率一覧
GLA                     587.56   656.27   486.13   435.84   404.66
L2,L5,L9,L10           1.530710 1.527870 1.537400 1.542740 1.547272 
L1,L4                  1.710030 1.696030 1.744770 1.779970 1.816000 
L6,                    1.583126 1.580139 1.589960 1.595296 1.599721
L11                    1.516330 1.513855 1.521905 1.526213 1.529768
L3                     1.882997 1.876560 1.898221 1.910495 1.920919
L7                     1.696797 1.692974 1.705522 1.712339 1.718005
L8                     1.698947 1.692225 1.715424 1.729410 1.741890
【０１４４】
数値実施例５
単位ｍｍ
面データ
面番号    r             d           nd           νd          ER
物面      ∞           ∞
1*      11.4663       0.1000      1.67233        20.43       6.401  
2*       8.9239       3.2438      1.53071        55.69       6.038  
3*      80.2135       可変                                   5.200
4       79.3433       0.7000      1.88300        40.76       4.340
5        4.1306       2.1000                                 3.127
6*     -25.9148       0.7000      1.67233        20.43       3.057 
7*      -5.8875       0.8000      1.53071        55.69       3.060 
8*    -126.3265       可変                                   3.000
9(絞り)   ∞         -0.3000                                 1.855
10*      5.7632       1.8182      1.58313        59.38       1.859
11*     -6.6203       0.1000                                 2.026
12       7.6392       1.5965      1.69680        55.53       2.037
13      -9.8103       0.3000      1.69895        30.13       1.919
14       3.3939       可変                                   1.815
15     -13.6893       1.5000      1.53071        55.69       2.378
16      -7.9621       可変                                   2.696
17*     17.7880       1.2000      1.53071        55.69       3.535
18        ∞          0.5000                                 3.640
19        ∞          0.5000      1.51633        64.14       3.721
20        ∞          0.5518                                 3.775
像面（撮像面）∞
非球面データ
第１面
K=0.
A2=0.0000E+00,A4=-5.1391E-05,A6=5.1473E-07,A8=4.0920E-09,A10=0.0000E+00
第２面
K=0.
A2=0.0000E+00,A4=-9.2193E-05,A6=9.4839E-07,A8=-9.0600E-09,A10=0.0000E+00
第３面
K=0.
A2=0.0000E+00,A4=-4.6044E-05,A6=1.9550E-06,A8=-1.0651E-08,A10=2.1481E-11
第６面
K=33.6337
A2=0.0000E+00,A4=-1.3121E-03,A6=-8.3098E-06,A8=-9.1876E-06,A10=3.5975E-07
第７面
K=0.
A2=0.0000E+00,A4=-4.0609E-04,A6=-1.4180E-04,A8=0.0000E+00,A10=0.0000E+00
第８面
K=0.
A2=0.0000E+00,A4=-2.4719E-03,A6=6.6484E-06,A8=-3.3473E-06,A10=0.0000E+00
第１０面
K=0.0506
A2=0.0000E+00,A4=-3.1629E-03,A6=-6.9010E-05,A8=-3.1667E-05,A10=-3.8409E-06
第１１面
K=-6.1104
A2=0.0000E+00,A4=-3.3678E-03,A6=7.4962E-05,A8=-5.0123E-05,A10=0.0000E+00
第１７面
K=0.
A2=0.0000E+00,A4=-1.2383E-03,A6=2.6812E-05,A8=0.0000E+00,A10=0.0000E+00
各種データ
広角        中間         望遠
FL              4.79983     12.58300     33.59595
Fno             3.1740       4.5381       5.9800
ω             42.8°       16.5°        6.4°
像高            3.83         3.83         3.83
レンズ全長     30.1739      35.9285      43.3184 
d3              0.40000      5.98091     11.98433
d8              8.35272      3.66384      0.70000
d14             2.59985      7.50935     13.73158
d16             3.41096      3.35519      1.49630
d18             0.50000      0.50000      0.50000
G     始面      焦点距離   
1      1        27.15271    
2      4        -5.12268  
3      9         7.19839   
4     15        32.87452   
5     17        33.51742  
〔硝材屈折率テーブル〕・・・ 本実施例にて使用した媒質の波長別屈折率一覧
GLA                     587.56   656.27   486.13   435.84   404.66
L2,L5,L9,L10           1.530710 1.527870 1.537400 1.542740 1.547272 
L1,L4                  1.672330 1.661700 1.694610 1.716930 1.738810 
L6                     1.583126 1.580139 1.589960 1.595296 1.599721
L11                    1.516330 1.513855 1.521905 1.526213 1.529768
L3                     1.882997 1.876560 1.898221 1.910495 1.920919
L7                     1.696797 1.692974 1.705522 1.712339 1.718005
L8                     1.698947 1.692225 1.715424 1.729410 1.741890
【０１４５】
数値実施例６
単位ｍｍ
面データ
面番号    r             d           nd           νd          ER
物面      ∞           ∞
1*      12.7761       0.1000      1.63387        23.38       6.345 
2*       9.2401       3.3169      1.62263        58.16       5.945 
3*      49.7298       可変                                   5.600
4       49.4281       0.7000      1.88300        40.76       4.063
5        3.9335       1.9000                                 2.916
6*     -25.4911       1.0000      1.63387        23.38       2.809 
7*      -4.7845       0.8000      1.62263        58.16       2.791 
8*     -26.5242       可変                                   2.700
9(絞り)   ∞         -0.3000                                 1.838
10*      5.7804       1.8206      1.58313        59.38       1.839
11*     -6.4315       0.1000                                 2.010
12       8.0856       1.5967      1.69680        55.53       2.020
13      -9.5283       0.3000      1.69895        30.13       1.909
14       3.4589       可変                                   1.812
15     -15.2732       1.5000      1.53071        55.69       2.385
16      -8.4318       可変                                   2.696
17*     17.7722       1.2000      1.53071        55.69       3.545
18        ∞          0.5000                                 3.644
19        ∞          0.5000      1.51633        64.14       3.723
20        ∞          0.5515                                 3.775
像面（撮像面）∞
非球面データ
第１面
K=0.
A2=0.0000E+00,A4=-7.0207E-05,A6=7.8263E-07,A8=-1.5101E-09,A10=0.0000E+00
第２面
K=0.
A2=0.0000E+00,A4=-1.2751E-04,A6=1.8248E-06,A8=-2.4700E-08,A10=0.0000E+00
第３面
K=0.
A2=0.0000E+00,A4=-9.5712E-05,A6=2.7897E-06,A8=-2.9233E-08,A10=1.4761E-10
第６面
K=33.6183
A2=0.0000E+00,A4=-8.8519E-04,A6=-1.5697E-05,A8=-7.0488E-06,A10=1.0529E-07
第７面
K=0.
A2=0.0000E+00,A4=6.1028E-04,A6=-1.4572E-04,A8=0.0000E+00,A10=0.0000E+00
第８面
K=0.
A2=0.0000E+00,A4=-1.8064E-03,A6=-1.7011E-05,A8=-2.3073E-06,A10=0.0000E+00
第１０面
K=0.0245
A2=0.0000E+00,A4=-3.3011E-03,A6=-6.8213E-05,A8=-3.7016E-05,A10=-4.0001E-06
第１１面
K=-6.1187
A2=0.0000E+00,A4=-3.6262E-03,A6=8.0005E-05,A8=-5.3596E-05,A10=0.0000E+00
第１７面
K=0.
A2=0.0000E+00,A4=-9.2442E-04,A6=1.2952E-05,A8=0.0000E+00,A10=0.0000E+00
各種データ
広角        中間         望遠
FL              4.79972     12.59816     33.59557
Fno             3.2067       4.5219       5.9800
ω             42.7°       16.6°        6.4°
像高            3.83         3.83         3.83
レンズ全長     30.3647      36.2410      43.3151 
d3              0.40000      6.20872     11.90320
d8              8.32803      3.73374      0.70000
d14             2.60046      7.38990     13.63330
d16             3.45059      3.31498      1.49666
d18             0.50000      0.50000      0.50000
G     始面      焦点距離   
1      1        26.91257    
2      4        -5.06880 
3      9         7.23253  
4     15        32.96273  
5     17        33.48752  
〔硝材屈折率テーブル〕・・・ 本実施例にて使用した媒質の波長別屈折率一覧
GLA                     587.56   656.27   486.13   435.84   404.66
L9,L10                 1.530710 1.527870 1.537400 1.542740 1.547272 
L2,L5                  1.622630 1.619350 1.630050 1.635825 1.640604 
L1,L4                  1.633870 1.626381 1.653490 1.671610 1.688826
L6                     1.583126 1.580139 1.589960 1.595296 1.599721
L11                    1.516330 1.513855 1.521905 1.526213 1.529768
L3                     1.882997 1.876560 1.898221 1.910495 1.920919
L7                     1.696797 1.692974 1.705522 1.712339 1.718005
L8                     1.698947 1.692225 1.715424 1.729410 1.741890
【０１４６】
数値実施例７
単位ｍｍ
面データ
面番号    r             d           nd           νd          ER
物面      ∞           ∞
1*      12.4684       0.1000      1.77260        17.75       6.557
2*      10.3266       3.1740      1.62263        58.16       6.290
3*      60.3108       可変                                   6.300
4       58.2998       0.7000      1.88300        40.76       4.326
5        4.1012       2.1000                                 3.085
6*     -21.0015       0.6000      1.77260        17.75       2.998 
7*      -7.1601       0.8000      1.62263        58.16       3.009 
8*     -42.2742       可変                                   3.000
9(絞り)   ∞          0.2000                                 1.773
10*      5.3426       1.8034      1.58313        59.38       2.002
11*     -7.5418       0.1000                                 2.135
12       8.4429       1.5892      1.69680        55.53       2.133
13      -9.8411       0.3000      1.69895        30.13       2.013
14       3.5736       可変                                   1.900
15     -16.9519       1.5000      1.53071        55.69       2.436
16      -8.8237       可変                                   2.730
17*     17.5619       1.2000      1.53071        55.69       3.558
18        ∞          0.5000                                 3.647
19        ∞          0.5000      1.51633        64.14       3.719
20        ∞          0.5535                                 3.766
像面（撮像面）∞
非球面データ
第１面
K=0.
A2=0.0000E+00,A4=-8.8364E-05,A6=6.0180E-07,A8=-3.3057E-09,A10=0.0000E+00
第２面
K=0.
A2=0.0000E+00,A4=-1.0774E-04,A6=7.8472E-07,A8=-1.0571E-08,A10=0.0000E+00
第３面
K=0.
A2=0.0000E+00,A4=-1.1510E-04,A6=2.2999E-06,A8=-2.2602E-08,A10=1.0128E-10
第６面
K=33.6130
A2=0.0000E+00,A4=-1.4823E-03,A6=1.9472E-05,A8=-7.4430E-06,A10=2.0353E-07
第７面
K=0.
A2=0.0000E+00,A4=-1.1520E-03,A6=-1.0610E-04,A8=0.0000E+00,A10=0.0000E+00
第８面
K=0.
A2=0.0000E+00,A4=-2.5478E-03,A6=3.6223E-05,A8=-5.2638E-06,A10=0.0000E+00
第１０面
K=0.0820
A2=0.0000E+00,A4=-2.2997E-03,A6=-1.2637E-07,A8=-1.8860E-05,A10=-8.4108E-07
第１１面
K=-6.1332
A2=0.0000E+00,A4=-1.6051E-03,A6=4.8239E-05,A8=-2.3815E-05,A10=0.0000E+00
第１７面
K=0.
A2=0.0000E+00,A4=-6.4719E-04,A6=-2.8991E-06,A8=0.0000E+00,A10=0.0000E+00
各種データ
広角        中間         望遠
FL              4.79980     12.71668     33.59397
Fno             3.3098       4.4981       5.9800
ω             43.2°       16.4°        6.3°
像高            3.83         3.83         3.83
レンズ全長     30.9681      37.1093      43.3238 
d3              0.40000      6.81432     11.77388
d8              8.57309      4.06711      0.70000
d14             2.59922      7.39024     13.64079
d16             3.67570      3.11272      1.49508
d18             0.50000      0.50000      0.50000
G     始面      焦点距離   
1      1        26.20270  
2      4        -5.10486  
3      9         7.48319  
4     15        32.58983   
5     17        33.09132    
〔硝材屈折率テーブル〕・・・ 本実施例にて使用した媒質の波長別屈折率一覧
GLA                    587.56   656.27   486.13   435.84   404.66
L9,L10                1.530710 1.527870 1.537400 1.542740 1.547272 
L2,L5                 1.622630 1.619350 1.630050 1.635825 1.640604 
L1,L4                 1.772600 1.759150 1.802670 1.832960 1.863180
L6                    1.583126 1.580139 1.589960 1.595296 1.599721
L11                   1.516330 1.513855 1.521905 1.526213 1.529768
L3                    1.882997 1.876560 1.898221 1.910495 1.920919
L7                    1.696797 1.692974 1.705522 1.712339 1.718005
L8                    1.698947 1.692225 1.715424 1.729410 1.741890
【０１４７】
数値実施例８
単位ｍｍ
面データ
面番号    r             d           nd           νd          ER
物面      ∞           ∞
1*      12.3956       0.1000      1.67233        20.43       6.353 
2*       9.4199       2.9979      1.69350        53.20       5.987 
3*      31.0851       可変                                   5.200
4       31.1783       0.7000      1.88300        40.76       4.540
5        4.1032       2.3000                                 3.229
6*     -20.7918       0.7000      1.67233        20.43       3.137 
7*      -5.8661       0.8000      1.69350        53.20       3.140 
8*     -22.0338       可変                                   3.200
9(絞り)   ∞         -0.3000                                 2.015
10*      5.2051       1.8017      1.58313        59.38       2.024
11*     -8.5222       0.1000                                 2.000
12       7.3282       1.6052      1.69680        55.53       2.015
13     -11.1472       0.3000      1.69895        30.13       1.897
14       3.3715       可変                                   1.797
15     -12.6078       1.5000      1.53071        55.69       2.360
16      -7.6804       可変                                   2.686
17*     17.8893       1.2000      1.53071        55.69       3.509
18        ∞          0.5000                                 3.623
19        ∞          0.5000      1.51633        64.14       3.711
20        ∞          0.5500                                 3.769
像面（撮像面）∞
非球面データ
第１面
K=0.
A2=0.0000E+00,A4=-2.5484E-05,A6=6.7032E-07,A8=2.6208E-09,A10=0.0000E+00
第２面
K=0.
A2=0.0000E+00,A4=-4.4436E-05,A6=6.0508E-07,A8=4.9964E-09,A10=0.0000E+00
第３面
K=0.
A2=0.0000E+00,A4=-2.9796E-05,A6=2.2967E-06,A8=-2.1107E-08,A10=1.1132E-10
第６面
K=32.7737
A2=0.0000E+00,A4=-7.2854E-04,A6=4.4767E-05,A8=-1.0994E-05,A10=3.5289E-07
第７面
K=0.
A2=0.0000E+00,A4=-2.7837E-04,A6=-7.9018E-05,A8=0.0000E+00,A10=0.0000E+00
第８面
K=0.
A2=0.0000E+00,A4=-1.6089E-03,A6=2.9889E-07,A8=-3.6133E-06,A10=0.0000E+00
第１０面
K=0.1640
A2=0.0000E+00,A4=-1.9479E-03,A6=7.4446E-06,A8=-8.9493E-06,A10=-3.9133E-07
第１１面
K=-6.0027
A2=0.0000E+00,A4=-7.9393E-04,A6=4.1451E-05,A8=-1.1822E-05,A10=0.0000E+00
第１７面
K=0.
A2=0.0000E+00,A4=-1.2037E-03,A6=1.9236E-05,A8=0.0000E+00,A10=0.0000E+00
各種データ
広角        中間         望遠
FL              4.79979     12.63305     33.59978
Fno             2.9486       4.1986       5.9801
ω             42.6°       16.6°        6.4°
像高            3.83         3.83         3.83
レンズ全長     30.9038      35.7522      43.3028 
d3              0.30000      5.79503     10.80364
d8              9.35831      4.07745      0.70000
d14             2.60068      7.51586     14.94905
d16             3.29013      2.99363      1.49748
d18             0.50000      0.50000      0.50000
G     始面      焦点距離   
1      1        27.41785    
2      4        -5.41295  
3      9         7.43436  
4     15        33.49410  
5     17        33.70827  
〔硝材屈折率テーブル〕・・・ 本実施例にて使用した媒質の波長別屈折率一覧
GLA                    587.56   656.27   486.13   435.84   404.66
L9,L10                1.530710 1.527870 1.537400 1.542740 1.547272 
L2,L5                 1.693500 1.689550 1.702580 1.709705 1.715640 
L1,L4                 1.672330 1.661700 1.694610 1.716930 1.738810
L6                    1.583126 1.580139 1.589960 1.595296 1.599721
L11                   1.516330 1.513855 1.521905 1.526213 1.529768
L3                    1.882997 1.876560 1.898221 1.910495 1.920919
L7                    1.696797 1.692974 1.705522 1.712339 1.718005
L8                    1.698947 1.692225 1.715424 1.729410 1.741890
【０１４８】
実施例１     実施例２     実施例３     実施例４ 
ｆw （広角端）               4.797        4.799        4.800        4.800  
ｆs （ 中間 ）              10.621       11.532       12.560       12.500    
ｆt （望遠端）              23.960       23.984       33.593       33.598  
半画角ωw（広角端）         42.4°       42.3°       42.8°       42.9°
半画角ωs（ 中間 ）         18.9°       17.7°       16.5°       16.6° 
半画角ωt（望遠端）          8.8°        8.8°        6.4°        6.4°    
1.2fw〜1.8fw間の
いずれかの焦点距離           6.543        6.942        7.966        7.632   
そのときのG1の
広角端に対する移動量        -2.315       -1.611       -1.545       -0.618     
そのときのG2の
広角端に対する移動量        -0.344       +0.377       +0.615       +0.949    
G1-2 間隔                    2.372        2.388        2.560        1.867  
G2-3 間隔                    5.300        5.673        5.001        5.118  
G3-4 間隔                    4.206        4.916        4.152        3.345    
G4-G5もしくは
G4-フィルター間隔            2.191        2.133        4.307        4.756   
ｙ10                         3.83         3.83         3.83         3.83    
ｂ(LA)                       2.25812      2.09905      2.25812      2.09905  
νd(LA)                     23.38        14.57        23.38        14.57     
ｎd(LA)                      1.63387      1.71003      1.63387      1.71003 
νd(LB)                     55.69        55.69        55.69        55.69   
θgF                         0.6684       0.7222       0.6684       0.7222    
βgF(LA)                     0.8007       0.8047       0.8007       0.8047 
(ｒa＋ｒb)/(ｒa−ｒb)        1.411        2.109        1.295        2.345  
a                            2.136        2.136        2.582        2.583    
ｈ (=0.9*a）                 1.922        1.922        2.324        2.324   
ΔｚA(h)                    -0.02723     -0.02730     -0.05038     -0.06831  
ΔｚB(h)                    -0.03326     -0.03271     -0.07096     -0.08491  
ΔｚC(h)                     0.00153     -0.01837     -0.01090     -0.05914  
ΔｚC(h)−ΔｚA(h)           0.02876      0.00893      0.03948      0.00917  
ΔｚC(h)−ΔｚB(h)           0.03479      0.01434      0.06006      0.02577   
P(LA)                        1.230E-03    6.129E-04    1.689E-03    6.294E-04
P(LB)                        6.247E-04    2.575E-04    1.078E-03    4.627E-04
{P(LA)−P(LB)}/ｙ10          1.581E-04    9.280E-05    1.593E-04    4.351E-05 
｜ΔｎAB｜                   0.10316      0.17932      0.10316      0.17932 
ｎ21                         1.88300      1.88300      1.88300      1.88300  
広角端全長/望遠端全長        0.6722       0.6927       0.6933       0.6814   
G2移動量/G1移動量            0.3278       0.3158       0.1221       0.1992 
G2の焦点距離/G1の焦点距離   -0.1860      -0.1899      -0.1863      -0.1874    
ｙ07/(fw・tanω07w)          0.933        0.939        0.939        0.940
実施例５     実施例６     実施例７     実施例８
ｆw （広角端）               4.800        4.800        4.800        4.800
ｆs （ 中間 ）              12.583       12.598       12.717       12.633
ｆt （望遠端）              33.596       33.596       33.594       33.600
半画角ωw（広角端）         42.8°       42.7°       43.2°       42.6°
半画角ωs（ 中間 ）         16.5°       16.6°       16.4°       16.6°
半画角ωt（望遠端）          6.4°        6.4°        6.3°        6.4°
1.2fw〜1.8fw間の
いずれかの焦点距離           7.901        7.861        7.819        8.077
そのときのG1の
広角端に対する移動量        -1.536       -1.590       -1.713       -0.666
そのときのG2の
広角端に対する移動量        +0.738       +0.732       +0.854       +1.424
G1-2  間隔                   2.674        2.722        2.967        2.390
G2-3  間隔                   5.136        5.183        5.461        5.406
G3-4  間隔                   3.941        3.927        3.813        3.417
G4-G5もしくは
G4-フィルター間隔            4.528        4.520        4.716        4.979
ｙ10                         3.83         3.83         3.83         3.83
ｂ(LA)                       2.21781      2.25812      2.24653      2.21781
νd(LA)                     20.43        23.38        17.75        20.43
ｎd(LA)                      1.67233      1.63387      1.77260      1.67233
νd(LB)                     55.69        58.16        58.16        53.20
θgF                         0.6786       0.6684       0.6960       0.6786
βgF(LA)                     0.7942       0.8007       0.7965       0.7942
(ｒa＋ｒb)/(ｒa−ｒb)        1.588        1.462        2.035        1.786
a                            2.582        2.582        2.582        2.583
ｈ (=0.9*a)                  2.324        2.324        2.324        2.324
ΔｚA(h)                    -0.05403     -0.04255     -0.06279     -0.03921
ΔｚB(h)                    -0.07391     -0.05734     -0.07309     -0.04996
ΔｚC(h)                    -0.03419     -0.00516     -0.05032     -0.02057
ΔｚC(h)−ΔｚA(h)           0.01984      0.03739      0.01247      0.01864
ΔｚC(h)−ΔｚB(h)           0.03972      0.05218      0.02277      0.02939
P(LA)                        9.711E-04    1.599E-03    7.025E-04    9.124E-04
P(LB)                        7.132E-04    8.972E-04    3.915E-04    5.524E-04
{P(LA)−P(LB)}/ｙ10          6.733E-05    1.833E-04    8.121E-05    9.398E-05
｜ΔｎAB｜                   0.14162      0.01124      0.14997      0.02117
ｎ21                         1.88300      1.88300      1.88300      1.88300
広角端全長/望遠端全長        0.6965       0.7010       0.7148       0.7137
G2移動量／G1移動量           0.1187       0.1118       0.0795       0.1529
G2の焦点距離/G1の焦点距離   -0.1887      -0.1883      -0.1948      -0.1974
ｙ07/(fw・tanω07w)          0.937        0.933        0.920        0.948
【０１４９】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１５０】
図１７〜図１９に本発明による結像光学系をデジタルカメラの撮影光学系４１に組み込んだ構成の概念図を示す。図１７はデジタルカメラ４０の外観を示す前方斜視図、図１８は同後方斜視図、図１９はデジタルカメラ４０の光学構成を示す断面図である。
【０１５１】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１５２】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１５３】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１５４】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１５５】
次に、本発明の結像光学系が対物光学系として内蔵された情報処理装置の一例であるパソコンを図２０〜図２２に示す。図２０はパソコン３００のカバーを開いた状態の前方斜視図、図２１はパソコン３００の撮影光学系３０３の断面図、図２２は図２０の側面図である。図２０〜図２２に示されるように、パソコン３００は、キーボード３０１と、情報処理手段や記録手段と、モニター３０２と、撮影光学系３０３とを有している。
【０１５６】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１５７】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１５８】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図２４には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１５９】
次に、本発明の結像光学系が撮影光学系として内蔵された情報処理装置の一例である電話、特に持ち運びに便利な携帯電話を図２７に示す。図２３（a）は携帯電話４００の正面図、図２３（b）は側面図、図２３（c）は撮影光学系４０５の断面図である。図２３（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１６０】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１６１】
ここで、モニター４０４は液晶表示素子である。また、図中、各構成の配置位置は、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１６２】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１６３】
なお、本発明は、その趣旨を逸脱しない範囲で様々な変形例をとることができる。
【産業上の利用可能性】
【０１６４】
以上のように、本発明に係る結像光学系及びそれを有する電子撮像装置は、結像光学系の高変倍率化、薄型化、広画角化、並びに、電子撮像装置の薄型化に有用である。
【符号の説明】
【０１６５】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ１０        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2011247949.tif 000003
【図２】
2011247949.tif 000004
【図３】
2011247949.tif 000005
【図４】
2011247949.tif 000006
【図５】
2011247949.tif 000007
【図６】
2011247949.tif 000008
【図７】
2011247949.tif 000009
【図８】
2011247949.tif 000010
【図９】
2011247949.tif 000011
【図１０】
2011247949.tif 000012
【図１１】
2011247949.tif 000013
【図１２】
2011247949.tif 000014
【図１３】
2011247949.tif 000015
【図１４】
2011247949.tif 000016
【図１５】
2011247949.tif 000017
【図１６】
2011247949.tif 000018
【図１７】
2011247949.tif 000019
【図１８】
2011247949.tif 000020
【図１９】
2011247949.tif 000021
【図２０】
2011247949.tif 000022
【図２１】
2011247949.tif 000023
【図２２】
2011247949.tif 000024
【図２３】
2011247949.tif 000025